【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
無線ブリッジングのための方法であって、
ハイブリッドデバイスの第１のネットワークインタフェースにおいて、ハイブリッド通信ネットワークの行先デバイスへの送信のために第１のフレームフォーマットの第１のデータフレームを受信することと、
前記ハイブリッドデバイスのハイブリッド層と関連付けられたハイブリッド転送テーブルに少なくとも部分的に基づいて、前記ハイブリッドデバイスの無線ネットワークインタフェースを介して前記第１のデータフレームを転送することを決定することと、ここにおいて、前記ハイブリッド転送テーブルは、前記無線ネットワークインタフェースを前記第１のデータフレームの行先アドレスと関連付ける、
前記無線ネットワークインタフェースと関連付けられた無線転送テーブルに少なくとも部分的に基づいて、前記ハイブリッド通信ネットワークのネットワークデバイスに前記第１のデータフレームを転送することを決定することと、ここにおいて、前記無線転送テーブルは、前記ネットワークデバイスの受信インタフェースを前記行先アドレスと関連付ける、
前記第１のデータフレーム、前記ハイブリッドデバイス、及び前記ネットワークデバイスに少なくとも部分的に基づいて、前記ネットワークデバイスへの送信のために無線フレームフォーマットにより第２のデータフレームを生成することと、
を備える、方法。
【請求項２】
前記無線ネットワークインタフェースを介して前記第１のデータフレームを転送することを前記決定することは、前記ハイブリッドデバイスと関連付けられた前記ハイブリッド層で行われ、
前記第１のデータフレームを前記ネットワークデバイスに転送することを前記決定することは、前記無線ネットワークインタフェースで行われる、請求項１に記載の方法。
【請求項３】
前記ハイブリッドデバイスの前記無線ネットワークインタフェースがアクセスポイント動作モードで構成されるかどうかを決定することと、
前記ハイブリッドデバイスの前記無線ネットワークインタフェースが前記アクセスポイント動作モードである場合、前記ネットワークデバイスの無線ネットワークインタフェースに前記第１のデータフレームを転送することを決定することと、ここにおいて、前記ネットワークデバイスの前記無線ネットワークインタフェースは、クライアント動作モードで構成される、
前記無線ネットワークインタフェースが前記クライアント動作モードである場合、前記ハイブリッドデバイスと通信するアクセスポイントの無線ネットワークインタフェースに前記第１のデータフレームを転送することを決定することと、
をさらに備える、請求項１に記載の方法。
【請求項４】
前記ハイブリッドデバイスの前記無線ネットワークインタフェース及び前記ネットワークデバイスの無線ネットワークインタフェースがクライアント動作モードで構成されると決定することと、
前記ハイブリッドデバイスの前記無線ネットワークインタフェース及び前記ネットワークデバイスの前記無線ネットワークインタフェースが直接通信リンクをサポートするかどうかを決定することと、
前記ハイブリッドデバイスの前記無線ネットワークインタフェース及び前記ネットワークデバイスの前記無線ネットワークインタフェースが前記直接通信リンクをサポートする場合、前記直接通信リンクを介して前記ハイブリッドデバイスの前記無線ネットワークインタフェースから前記ネットワークデバイスの前記無線ネットワークインタフェースに前記第２のデータフレームを送信することと、
前記ハイブリッドデバイスの前記無線ネットワークインタフェース及び前記ネットワークデバイスの前記無線ネットワークインタフェースが前記直接通信リンクをサポートしない場合、前記ネットワークデバイスの前記無線ネットワークインタフェースへの引き続きの送信のために前記ハイブリッドデバイスの前記無線ネットワークインタフェースと通信するアクセスポイントに前記第２のデータフレームを送信することと、
をさらに備える、請求項１に記載の方法。
【請求項５】
前記無線フレームフォーマットにより前記第２のデータフレームを前記生成することは、
前記ハイブリッドデバイスが前記行先デバイスへの送信のために前記第１のデータフレームを生成したソースデバイスであるかどうかを決定することと、
前記ハイブリッドデバイスが前記ソースデバイスである場合、３アドレス無線フレームフォーマットにより前記第２のデータフレームを生成することと、
を備え、
前記第２のデータフレームは、前記ハイブリッドデバイスのアドレス、前記ネットワークデバイスのアドレス、及び前記行先デバイスのアドレスを含む、請求項１に記載の方法。
【請求項６】
前記ハイブリッドデバイスが前記ソースデバイスでないと決定したことに応答して、前記方法は、
前記ネットワークデバイスが前記行先デバイスであるかどうかを決定することと、
前記ネットワークデバイスが前記行先デバイスである場合、前記３アドレス無線フレームフォーマットにより前記第２のデータフレームを生成することと、ここにおいて、前記第２のデータフレームは、前記ソースデバイスのアドレス、前記ハイブリッドデバイスの前記アドレス、及び前記ネットワークデバイスの前記アドレスを含む、
前記ネットワークデバイスが前記行先デバイスでなく、前記ハイブリッドデバイスが前記ソースデバイスでない場合、４アドレス無線フレームフォーマットにより前記第２のデータフレームを生成することと、
をさらに備え、
前記第２のデータフレームは、前記ソースデバイスの前記アドレス、前記ハイブリッドデバイスの前記アドレス、前記ネットワークデバイスの前記アドレス、及び前記行先デバイスの前記アドレスを含む、請求項５に記載の方法。
【請求項７】
前記ハイブリッドデバイスの前記無線ネットワークインタフェースにおいて前記ネットワークデバイスからブロードキャストフレームを受信することと、ここにおいて、前記ハイブリッドデバイスは、クライアント動作モードで構成され、前記ネットワークデバイスは、アクセスポイント動作モードで構成される、
前記ブロードキャストフレームがブロードキャストのために前記ハイブリッドデバイスの前記無線ネットワークインタフェースから前記ネットワークデバイスに以前に送信されたものであるかどうかを決定することと、
前記ブロードキャストフレームが前記ハイブリッドデバイスの前記無線ネットワークインタフェースから以前に送信されたものである場合、前記ハイブリッドデバイスの前記無線ネットワークインタフェースにおいて前記ブロードキャストフレームを廃棄することと、
前記ブロードキャストフレームが前記ハイブリッドデバイスの前記無線ネットワークインタフェースから以前に送信されたものでない場合、処理のため及び前記ハイブリッドデバイスの少なくとも１つの他のネットワークインタフェースを介しての引き続きのブロードキャストのために前記ハイブリッドデバイスの前記ハイブリッド層に前記受信されたブロードキャストフレームを提供することと、
をさらに備える、請求項１に記載の方法。
【請求項８】
前記ネットワークデバイスからの前記ハイブリッドデバイスの前記無線ネットワークインタフェースにおいて前記ブロードキャストフレームを前記受信することに応答して、前記方法は、
前記ブロードキャストフレーム内のオリジナルソースアドレスフィールドに少なくとも部分的に基づいて、前記ハイブリッドデバイスの前記無線ネットワークインタフェースにおいて前記ブロードキャストフレームをフィルタリングすることと、ここにおいて、前記無線転送テーブルは、前記ハイブリッドデバイスの前記無線ネットワークインタフェースを通じて到達可能である前記ネットワークデバイスを示す表示を含む、
前記オリジナルソースアドレスフィールドが前記ネットワークデバイスと関連付けられたアドレスを含むと決定したことに応答して、前記ハイブリッドデバイスの前記無線ネットワークインタフェースにおいて、前記ブロードキャストフレームを廃棄することと、
をさらに備える、請求項７に記載の方法。
【請求項９】
前記ハイブリッドデバイスの前記無線ネットワークインタフェースにおいて、インジケータフィールドを前記ブロードキャストフレームに挿入することと、ここにおいて、前記インジケータフィールドは、前記ハイブリッドデバイスの前記無線ネットワークインタフェースが前記ネットワークデバイスに前記ブロードキャストフレームを送信することを示す、
前記ハイブリッドデバイスの前記無線ネットワークインタフェースから前記ネットワークデバイスに前記ブロードキャストフレームを送信することと、
をさらに備え、
前記ネットワークデバイスから前記ハイブリッドデバイスの前記無線ネットワークインタフェースにおいて前記ブロードキャストフレームを前記受信することに応答して、前記ブロードキャストフレームが前記無線ネットワークインタフェースから以前に送信されたものであるかどうかを前記決定することは、
前記受信されたブロードキャストフレームが前記ハイブリッドデバイスの前記無線ネットワークインタフェースで挿入された前記インジケータフィールドを含むかどうかを決定すること、
を備える、請求項７に記載の方法。
【請求項１０】
前記第１のネットワークインタフェースは、イーサネット（登録商標）インタフェース又は電力線通信インタフェースであり、
前記無線ネットワークインタフェースは、無線ローカルエリアネットワーク（ＷＬＡＮ）インタフェースである、請求項１に記載の方法。
【請求項１１】
前記第２のデータフレームを前記生成することは、前記無線フレームフォーマットにより前記第１のデータフレームを変更することを備える、請求項１に記載の方法。
【請求項１２】
前記ハイブリッド通信ネットワークは、ＩＥＥＥ Ｐ１９０５．１通信ネットワークを備える、請求項１に記載の方法。
【請求項１３】
前記第１のデータフレームを前記受信することは、前記ハイブリッド通信ネットワークの第１の通信ネットワークセグメントを介して前記第１のデータフレームを受信することを備え、
前記第２のデータフレームを前記送信することは、前記ハイブリッド通信ネットワークの第２の通信ネットワークセグメントを介して前記第２のデータフレームを送信することを備え、前記第２の通信ネットワークセグメントは、無線ネットワークセグメントである、請求項１に記載の方法。
【請求項１４】
前記ハイブリッドデバイスにおいて、前記ハイブリッド通信ネットワークの追加のハイブリッドデバイスからトポロジーメッセージを受信することと、ここにおいて、前記トポロジーメッセージは、前記追加のハイブリッドデバイスと関連付けられた情報を含む、
前記追加のハイブリッドデバイスから受信された前記トポロジーメッセージに少なくとも部分的に基づいて、前記ハイブリッドデバイスと関連付けられた少なくとも前記ハイブリッド転送テーブルにポピュレートすることと、
前記ハイブリッドデバイスと関連付けられた前記ハイブリッド転送テーブルを前記追加のハイブリッドデバイスに送信することと、
をさらに備える、請求項１に記載の方法。
【請求項１５】
前記追加のハイブリッドデバイスから受信された前記トポロジーメッセージに少なくとも部分的に基づいて、前記無線転送テーブルにポピュレートすること
をさらに備える、請求項１４に記載の方法。
【請求項１６】
前記ハイブリッドデバイスにおいて、少なくとも、前記ハイブリッドデバイスに関する情報と、前記ハイブリッドデバイスに接続された前記ネットワークデバイスに関する情報と、を含むトポロジーメッセージを生成することと、
前記ハイブリッドデバイスから前記ハイブリッド通信ネットワークの１つ以上のハイブリッドデバイスに前記トポロジーメッセージをブロードキャストすることと、
をさらに備える、請求項１に記載の方法。
【請求項１７】
前記ハイブリッドデバイスと関連付けられた前記トポロジーメッセージは、前記無線ネットワークインタフェース、及び前記第１のネットワークインタフェースの各々と関連付けられた転送能力を示す表示を含む、請求項１６に記載の方法。
【請求項１８】
前記トポロジーメッセージは、前記ハイブリッドデバイスの前記無線ネットワークインタフェースが、フレーム転送、無線フレームフォーマット、及び前記無線ネットワークインタフェースによってサポートされる通信リンクセットアップをサポートすることを示す表示を含み、前記通信リンクセットアップは、前記無線ネットワークインタフェースが直接リンク無線通信をサポートするかどうかを示す前記ハイブリッドデバイスの前記無線ネットワークインタフェースによってサポートされる、請求項１７に記載の方法。
【請求項１９】
前記第２のデータフレームを生成することは、第１の無線フレームフォーマット、または第２の無線フレームフォーマットにより前記第２のデータフレームを生成することを備える、請求項１に記載の方法。
【請求項２０】
前記ハイブリッド通信ネットワークの中央のコーディネータに対して、前記ハイブリッドデバイスと関連付けられた情報及び前記ハイブリッドデバイスに接続された前記ネットワークデバイスを示す表示を送信することと、
前記中央のコーディネータから、前記ハイブリッドデバイスと関連付けられた前記ハイブリッド転送テーブル及び前記ハイブリッド通信ネットワークの追加のハイブリッドデバイスと関連付けられた第２のハイブリッド転送テーブルを受信することと、
をさらに備える、請求項１に記載の方法。
【請求項２１】
ハイブリッドデバイスであって、
複数のネットワークインタフェースと、
前記複数のネットワークインタフェースに結合された通信ユニットと、
を備え、前記通信ユニットは、
第１のネットワークインタフェースにおいて、ハイブリッド通信ネットワークの行先デバイスへの送信ために第１のフレームフォーマットで第１のデータフレームを受信し、
前記ハイブリッドデバイスのハイブリッド層と関連付けられたハイブリッド転送テーブルに少なくとも部分的に基づいて、前記ハイブリッドデバイスの無線ネットワークインタフェースを介して前記第１のデータフレームを転送することを決定し、ここにおいて、前記ハイブリッド転送テーブルは、前記無線ネットワークインタフェースを前記第１のデータフレームの行先アドレスと関連付ける
前記無線ネットワークインタフェースと関連付けられた無線転送テーブルに少なくとも部分的に基づいて、前記ハイブリッド通信ネットワークのネットワークデバイスに前記第１のデータフレームを転送することを決定し、ここにおいて、前記無線転送テーブルは、前記ネットワークデバイスの受信インタフェースを前記行先アドレスと関連付ける、
前記第１のデータフレーム、前記ハイブリッドデバイス、及び前記ネットワークデバイスに少なくとも部分的に基づいて、前記ネットワークデバイスへの送信のために無線フレームフォーマットにより第２のデータフレームを生成する、
ために動作可能である、ハイブリッドデバイス。
【請求項２２】
前記通信ユニットは、
前記ハイブリッドデバイスの前記無線ネットワークインタフェースがアクセスポイント動作モードで構成されるかどうかを決定し、
前記ハイブリッドデバイスの前記無線ネットワークインタフェースが前記アクセスポイント動作モードである場合、前記ネットワークデバイスの無線ネットワークインタフェースに前記第１のデータフレームを転送することを決定し、ここにおいて、前記ネットワークデバイスの前記無線ネットワークインタフェースは、クライアント動作モードで構成される、
前記ハイブリッドデバイスの前記無線ネットワークインタフェースが前記クライアント動作モードである場合、前記ハイブリッドデバイスと通信するアクセスポイントの無線ネットワークインタフェースに前記第１のデータフレームを転送することを決定する
ためにさらに動作可能である、請求項２１に記載のハイブリッドデバイス。
【請求項２３】
前記通信ユニットは、
前記ハイブリッドデバイスの前記無線ネットワークインタフェース及び前記ネットワークデバイスの無線ネットワークインタフェースがクライアント動作モードで構成されると決定し、
前記ハイブリッドデバイスの前記無線ネットワークインタフェース及び前記ネットワークデバイスの前記無線ネットワークインタフェースが直接通信リンクをサポートするかどうかを決定し、
前記ハイブリッドデバイスの前記無線ネットワークインタフェース及び前記ネットワークデバイスの前記無線ネットワークインタフェースが前記直接通信リンクをサポートする場合、前記直接通信リンクを介して前記ハイブリッドデバイスの前記無線ネットワークインタフェースから前記ネットワークデバイスの前記無線ネットワークインタフェースに前記第２のデータフレームを送信し、
前記ハイブリッドデバイスの前記無線ネットワークインタフェース及び前記ネットワークデバイスの前記無線ネットワークインタフェースが前記直接通信リンクをサポートしない場合、前記ネットワークデバイスの前記無線ネットワークインタフェースへの引き続きの送信のために前記ハイブリッドデバイスの前記無線ネットワークインタフェースに接続されたアクセスポイントに前記第２のデータフレームを送信する
ためにさらに動作可能である、請求項２１に記載のハイブリッドデバイス。
【請求項２４】
前記無線フレームフォーマットにより前記第２のデータフレームを生成するために動作可能である前記通信ユニットは、
前記ハイブリッドデバイスが前記行先デバイスへの送信のために前記第１のデータフレームを生成したソースデバイスであるかどうかを決定し、
前記ハイブリッドデバイスが前記ソースデバイスである場合、３アドレス無線フレームフォーマットにより前記第２のデータフレームを生成し、ここにおいて、前記第２のデータフレームは、前記ハイブリッドデバイスのアドレス、前記ネットワークデバイスのアドレス、及び前記行先デバイスのアドレスを含む、
前記ハイブリッドデバイスが前記ソースデバイスでないと決定したことに応答して、
前記ネットワークデバイスが前記行先デバイスであるかどうかを決定し、
前記ネットワークデバイスが前記行先デバイスである場合、前記３アドレス無線フレームフォーマットにより前記第２のデータフレームを生成し、ここにおいて、前記第２のデータフレームは、前記ソースデバイスの前記アドレス、前記ハイブリッドデバイスの前記アドレス、及び前記ネットワークデバイスの前記アドレスを含む、
前記ネットワークデバイスが前記行先デバイスでない及び前記ハイブリッドデバイスが前記ソースデバイスでない場合、４アドレス無線フレームフォーマットにより前記第２のデータフレームを生成する、
ために動作可能である前記通信ユニットを備え、
前記第２のデータフレームは、前記ソースデバイスの前記アドレス、前記ハイブリッドデバイスの前記アドレス、前記ネットワークデバイスの前記アドレス、及び前記行先デバイスの前記アドレスを含む、請求項２１に記載のハイブリッドデバイス。
【請求項２５】
前記通信ユニットは、
前記ネットワークデバイスから前記ハイブリッドデバイスの前記無線ネットワークインタフェースにおいてブロードキャストフレームを受信し、ここにおいて、前記ハイブリッドデバイスは、クライアント動作モードで構成され、前記ネットワークデバイスは、アクセスポイント動作モードで構成される、
前記ブロードキャストフレームがブロードキャストのために前記ハイブリッドデバイスの前記無線ネットワークインタフェースから前記ネットワークデバイスに以前に送信されたものであるかどうかを決定し、
前記ブロードキャストフレームが前記ハイブリッドデバイスの前記無線ネットワークインタフェースから以前に送信された場合ものである場合、前記ハイブリッドデバイスの前記無線ネットワークインタフェースにおいて前記ブロードキャストフレームを廃棄し、
前記ブロードキャストフレームが前記ハイブリッドデバイスの前記ネットワークインタフェースから以前に送信されたものでない場合、処理のために及び前記ハイブリッドデバイスの少なくとも１つの他のネットワークインタフェースを介しての引き続きのブロードキャストのために前記ハイブリッドデバイスの前記ハイブリッド層に前記受信されたブロードキャストフレームを提供する
ためにさらに動作可能である、請求項２１に記載のハイブリッドデバイス。
【請求項２６】
前記第１のデータフレームを受信するために動作可能な前記通信ユニットは、前記ハイブリッド通信ネットワークの第１の通信ネットワークセグメントを介して前記第１のデータフレームを受信するために動作可能な前記通信ユニットを備え、
前記第２のデータフレームを送信するために動作可能な前記通信ユニットは、前記ハイブリッド通信ネットワークの第２の通信ネットワークセグメントを介して前記第２のデータフレームを送信するために動作可能な前記通信ユニットを備え、前記第２の通信ネットワークセグメントは、無線ネットワークセグメントである、請求項２１に記載のハイブリッドデバイス。
【請求項２７】
前記通信ユニットは、
前記ハイブリッド通信ネットワークの追加のハイブリッドデバイスからトポロジーメッセージを受信し、ここにおいて、前記トポロジーメッセージは、前記追加のハイブリッドデバイスと関連付けられた情報を含む、
前記追加のハイブリッドデバイスから受信された前記トポロジーメッセージに少なくとも部分的に基づいて、少なくとも前記ハイブリッド転送テーブルにポピュレートし、
前記追加のハイブリッドデバイスに前記ハイブリッド転送テーブルを送信する
ためにさらに動作可能である、請求項２１に記載のハイブリッドデバイス。
【請求項２８】
前記通信ユニットは、
前記追加のハイブリッドデバイスから受信された前記トポロジーメッセージに少なくとも部分的に基づいて、前記無線転送テーブルにポピュレートする
ためにさらに動作可能である、請求項２７に記載のハイブリッドデバイス。
【請求項２９】
前記通信ユニットは、
少なくとも、前記ハイブリッドデバイスに関する情報と、前記ハイブリッドデバイスに接続された前記ネットワークデバイスに関する情報と、を含むトポロジーメッセージを生成し、
前記ハイブリッド通信ネットワークの１つ以上のハイブリッドデバイスに前記トポロジーメッセージをブロードキャストする
ためにさらに動作可能である、請求項２１に記載のハイブリッドデバイス。
【請求項３０】
前記ハイブリッドデバイスと関連付けられた前記トポロジーメッセージは、前記無線ネットワークインタフェース、及び前記第１のネットワークインタフェースの各々と関連付けられた転送能力を示す表示を含む、請求項２９に記載のハイブリッドデバイス。
【請求項３１】
非一時的な機械によって読み取り可能な記憶媒体であって、
１つ以上のプロセッサによって実行されたときに、
ハイブリッド通信ネットワークのハイブリッドデバイスのうちの第１のネットワークインタフェースにおいて第１のフレームフォーマットの第１のデータフレームを受信することと、
前記ハイブリッドデバイスのハイブリッド層と関連付けられたハイブリッド転送テーブルに少なくとも部分的に基づいて、前記ハイブリッドデバイスの無線ネットワークインタフェースを介して前記第１のデータフレームを転送することを決定することと、ここにおいて、前記ハイブリッド転送テーブルは、前記無線ネットワークインタフェースを前記第１のデータフレームの行先アドレスと関連付ける、
前記ハイブリッドデバイスの前記無線ネットワークインタフェースと関連付けられた無線転送テーブルに少なくとも部分的に基づいて、前記ハイブリッド通信ネットワークのネットワークデバイスに前記第１のデータフレームを転送することを決定することと、ここにおいて、前記無線転送テーブルは、前記ネットワークデバイスの受信インタフェースを前記行先アドレスと関連付ける、
前記第１のデータフレーム、前記ハイブリッドデバイス、及び前記ネットワークデバイスに少なくとも部分的に基づいて、前記ネットワークデバイスへの送信のために、無線フレームフォーマットにより第２のデータフレームを生成することと、
を備える動作を行うことを前記１つ以上のプロセッサに行わせる命令、が格納されている、非一時的な機械によって読み取り可能な記憶媒体。
【請求項３２】
前記動作は、
前記ハイブリッドデバイスの前記無線ネットワークインタフェースがアクセスポイント動作モードで構成されるかどうかを決定することと、
前記ハイブリッドデバイスの前記無線ネットワークインタフェースが前記アクセスポイント動作モードである場合、前記ネットワークデバイスの前記受信インタフェースに前記第１のデータフレームを転送することを決定することと、ここにおいて、前記ネットワークデバイスの前記受信インタフェースは、クライアント動作モードで構成される、
前記ハイブリッドデバイスの前記無線ネットワークインタフェースがクライアント動作モードである場合、前記ハイブリッドデバイスと通信するアクセスポイントの無線ネットワークインタフェースに前記第１のデータフレームを転送することを決定することと、
をさらに備える、請求項３１に記載の非一時的な機械によって読み取り可能な記憶媒体。
【請求項３３】
前記動作は、
前記ハイブリッドデバイスの前記無線ネットワークインタフェース及び前記ネットワークデバイスの無線ネットワークインタフェースがクライアント動作モードで構成されると決定することと、
前記ハイブリッドデバイスの前記無線ネットワークインタフェース及び前記ネットワークデバイスの前記無線ネットワークインタフェースが直接通信リンクをサポートするかどうかを決定することと、
前記ハイブリッドデバイスの前記無線ネットワークインタフェース及び前記ネットワークデバイスの前記無線ネットワークインタフェースが前記直接通信リンクをサポートする場合、前記直接通信リンクを介して前記ハイブリッドデバイスの前記無線ネットワークインタフェースから前記ネットワークデバイスの前記無線ネットワークインタフェースに前記第２のデータフレームを送信することと、
前記ハイブリッドデバイスの前記無線ネットワークインタフェース及び前記ネットワークデバイスの前記無線ネットワークインタフェースが前記直接通信リンクをサポートしない場合、前記ネットワークデバイスの前記無線ネットワークインタフェースへの引き続きの送信のために前記ハイブリッドデバイスの前記無線ネットワークインタフェースに接続されたアクセスポイントに前記第２のデータフレームを送信することと、
をさらに備える、請求項３１に記載の非一時的な機械によって読み取り可能な記憶媒体。
【請求項３４】
前記無線フレームフォーマットにより前記第２のデータフレームを生成する前記動作は、
前記ハイブリッドデバイスが行先デバイスへの送信のために前記第１のデータフレームを生成したソースデバイスであるかどうかを決定することと、
前記ハイブリッドデバイスが前記ソースデバイスである場合、３アドレス無線フレームフォーマットにより前記第２のデータフレームを生成することと、ここにおいて、前記第２のデータフレームは、前記ハイブリッドデバイスのアドレス、前記ネットワークデバイスのアドレス、及び前記行先デバイスのアドレスを含む、
前記ハイブリッドデバイスが前記ソースデバイスでないと決定したことに応答して、
前記ネットワークデバイスが前記行先デバイスであるかどうかを決定することと、
前記ネットワークデバイスが前記行先デバイスである場合、前記３アドレス無線フレームフォーマットにより前記第２のデータフレームを生成することと、ここにおいて、前記第２のデータフレームは、前記ソースデバイスのアドレスと、前記ハイブリッドデバイスの前記アドレスと、前記ネットワークデバイスの前記アドレスとを含む、
前記ネットワークデバイスが前記行先デバイスでなく、前記ハイブリッドデバイスが前記ソースデバイスでない場合、４アドレス無線フレームフォーマットにより前記第２のデータフレームを生成することと、
を備え、
前記第２のデータフレームは、前記ソースデバイスの前記アドレス、前記ハイブリッドデバイスの前記アドレス、前記ネットワークデバイスの前記アドレス、及び前記行先デバイスの前記アドレスを含む、請求項３１に記載の非一時的な機械によって読み取り可能な記憶媒体。
【請求項３５】
前記動作は、
前記ハイブリッドデバイスの前記無線ネットワークインタフェースにおいて前記ネットワークデバイスからブロードキャストフレームを受信することと、ここにおいて、前記ハイブリッドデバイスは、クライアント動作モードで構成され、前記ネットワークデバイスは、アクセスポイント動作モードで構成される、
前記ブロードキャストフレームがブロードキャストのために、前記ハイブリッドデバイスの前記無線ネットワークインタフェースから前記ネットワークデバイスに以前に送信されたものであるかどうかを決定することと、
前記ブロードキャストフレームが前記ハイブリッドデバイスの前記無線ネットワークインタフェースから以前に送信されたものである場合、前記ハイブリッドデバイスの前記無線ネットワークインタフェースにおいて前記ブロードキャストフレームを廃棄することと、
前記ブロードキャストフレームが前記ハイブリッドデバイスの前記無線ネットワークインタフェースから以前に送信されたものでない場合、処理のため及び前記ハイブリッドデバイスの他のネットワークインタフェース介しての引き続きのブロードキャストのために前記ハイブリッドデバイスの前記ハイブリッド層に前記受信されたブロードキャストフレームを提供することと、
をさらに備える、請求項３１に記載の非一時的な機械によって読み取り可能な記憶媒体。
【請求項３６】
前記動作は、
前記ハイブリッドデバイスにおいて、前記ハイブリッド通信ネットワークの追加のハイブリッドデバイスからトポロジーメッセージを受信することと、ここにおいて、前記トポロジーメッセージは、前記追加のハイブリッドデバイスと関連付けられた情報を含む、
前記追加のその他のハイブリッドデバイスから受信された前記トポロジーメッセージに少なくとも部分的に基づいて、前記ハイブリッドデバイスと関連付けられた少なくとも前記ハイブリッド転送テーブルにポピュレートすることと、
前記追加のハイブリッドデバイスに前記ハイブリッドデバイスと関連付けられた前記ハイブリッド転送テーブルを送信することと、
をさらに備える、請求項３１に記載の非一時的な機械によって読み取り可能な記憶媒体。
【請求項３７】
前記動作は、
前記追加のハイブリッドデバイスから受信された前記トポロジーメッセージに少なくとも部分的に基づいて、前記無線転送テーブルにポピュレートすること
をさらに備える、請求項３６に記載の非一時的な機械によって読み取り可能な記憶媒体。
【手続補正２】
【補正対象書類名】明細書
【補正対象項目名】００９０
【補正方法】変更
【補正の内容】
【００９０】
ここにおいて説明されるコンポーネント、動作、又は構造に関しては、複数の事例は単数の事例として提供することができる。最後に、様々なコンポーネント、動作、及びデータストア間の境界は多少任意であり、特定の動作は、特定の例示的な構成に関して例示されている。機能のその他の割り当てが企図されており、本発明の主題の範囲内であることができる。概して、典型的な構成における別個のコンポーネントとして提示される構造及び機能は、結合された構造又はコンポーネントとして実装することができる。同様に、単一のコンポーネントとして提示される構造及び機能は、別個のコンポーネントとして実装することができる。これらの及びその他の変形、変更、追加、及び改良は、本発明の主題の範囲内である。
以下に、本願出願の当初の特許請求の範囲に記載された発明を付記する。
［Ｃ１］
方法であって、
第１のハイブリッドデバイスの複数のネットワークインタフェースのうちの第１のネットワークインタフェースにおいて、ハイブリッド通信ネットワークの行先デバイスへの送信のために第１のフレームフォーマットの第１のデータフレームを受信することと、
前記第１のハイブリッドデバイスのハイブリッド層と関連付けられたハイブリッド転送テーブルに少なくとも部分的に基づいて前記複数のネットワークインタフェースのうちの第２のネットワークインタフェースを介して前記第１のデータフレームを転送することを決定することと、
前記第２のネットワークインタフェースは無線ネットワークインタフェースであると決定することと、
前記第２のネットワークインタフェースと関連付けられた無線転送テーブルに少なくとも部分的に基づいて前記ハイブリッド通信ネットワークの第２のネットワークデバイスに前記第１のデータフレームを転送することを決定することと、
前記第１のデータフレーム、前記第１のハイブリッドデバイス、及び前記第２のネットワークデバイスに少なくとも部分的に基づいて無線フレームフォーマットにより第２のデータフレームを生成することと、
前記第２のネットワークインタフェースから前記第２のネットワークデバイスに前記第２のデータフレームを送信することと、を備える、方法。
［Ｃ２］
前記第２のネットワークインタフェースを介して前記第１のデータフレームを転送することを前記決定することは、前記第１のハイブリッドデバイスと関連付けられた前記ハイブリッド層で行われ、
前記第１のデータフレームを前記第２のネットワークデバイスに転送することを前記決定することは、前記第１のハイブリッドデバイスの前記第２のネットワークインタフェースで行われるＣ１に記載の方法。
［Ｃ３］
前記第２のネットワークインタフェースと関連付けられた無線モジュールは、アクセスポイント動作モードで構成されるかどうかを決定することと、
前記第２のネットワークインタフェースと関連付けられた前記無線モジュールは、前記アクセスポイント動作モードで構成されると決定したことに応答して、
前記第２のネットワークデバイスの無線ネットワークインタフェースに前記第１のデータフレームを転送することを決定することであって、前記第２のネットワークデバイスの前記無線ネットワークインタフェースと関連付けられた無線モジュールはクライアント動作モードで構成されることと、
前記第２のネットワークインタフェースと関連付けられた前記無線モジュールは前記クライアント動作モードで構成されると決定したことに応答して、
前記第１のハイブリッドデバイスの前記無線モジュールが接続されるアクセスポイントの無線ネットワークインタフェースに前記第１のデータフレームを転送することを決定することと、をさらに備えるＣ１に記載の方法。
［Ｃ４］
前記第１のハイブリッドデバイスの前記第２のネットワークインタフェース及び前記第２のネットワークデバイスの無線ネットワークインタフェースはクライアント動作モードで構成されると決定することと、
前記第１のハイブリッドデバイスの前記第２のネットワークインタフェース及び前記第２のネットワークデバイスの前記無線ネットワークインタフェースが直接通信リンクをサポートするかどうかを決定することと、
前記第１のハイブリッドデバイスの前記第２のネットワークインタフェース及び前記第２のネットワークデバイスの前記前記無線ネットワークインタフェースが前記直接通信リンクをサポートすると決定したことに応答して、
前記直接通信リンクを介して前記第１のハイブリッドデバイスの前記第２のネットワークインタフェースから前記第２のネットワークデバイスの前記無線ネットワークインタフェースに前記第２のデータフレームを直接送信することと、
前記第１のハイブリッドデバイスの前記第２のネットワークインタフェース及び前記第２のネットワークデバイスの前記無線ネットワークインタフェースが前記直接通信リンクをサポートしないと決定したことに応答して、
前記第２のネットワークデバイスの前記無線ネットワークインタフェースへの引き続きの送信のために前記第１のハイブリッドデバイスの前記第２のネットワークインタフェースに接続されたアクセスポイントに前記第２のデータフレームを送信することと、をさらに備えるＣ１に記載の方法。
［Ｃ５］
前記無線フレームフォーマットにより前記第２のデータフレームを前記生成することは、
前記第１のハイブリッドデバイスが前記行先デバイスへの送信のために前記第１のデータフレームを生成したソースデバイスであるかどうかを決定することと、
前記第１のハイブリッドデバイスが前記行先デバイスへの送信のために前記第１のデータフレームを生成した前記ソースデバイスであると決定したことに応答して、
３アドレス無線フレームフォーマットにより前記第２のデータフレームを生成することであって、前記第２のデータフレームは、前記第１のハイブリッドデバイスのアドレスと、前記第２のネットワークデバイスのアドレスと、前記行先デバイスのアドレスとを備えることと、を備えるＣ１に記載の方法。
［Ｃ６］
前記第１のハイブリッドデバイスが前記行先デバイスへの送信のために前記第１のデータフレームを生成した前記ソースデバイスでないと決定したことに応答して、
前記第２のネットワークデバイスは前記第１のデータフレームの対象となっている前記行先デバイスであるかどうかを決定することと、
前記第２のネットワークデバイスは前記第１のデータフレームの対象となっている前記行先デバイスであると決定したことに応答して、
前記３アドレス無線フレームフォーマットにより前記第２のデータフレームを生成することであって、前記第２のデータフレームは、前記ソースデバイスのアドレスと、前記第１のハイブリッドデバイスの前記アドレスと、前記第２のネットワークデバイスの前記アドレスとを備えることと、
前記第２のネットワークデバイスが前記第１のデータフレームの対象となる前記行先デバイスではなく及び前記第１のハイブリッドデバイスは前記第１のデータフレームを生成した前記ソースデバイスでないと決定したことに応答して、
４アドレス無線フレームフォーマットにより前記第２のデータフレームを生成することであって、前記第２のデータフレームは、前記ソースデバイスの前記アドレスと、前記第１のハイブリッドデバイスの前記アドレスと、前記第２のネットワークデバイスの前記アドレスと、前記行先デバイスの前記アドレスと、を備えることと、さらに備えるＣ１に記載の方法。
［Ｃ７］
前記第１のハイブリッドデバイスの前記第２のネットワークインタフェースにおいて前記第２のネットワークデバイスからブロードキャストフレームを受信することであって、前記第１のハイブリッドデバイスの無線モジュールは、クライアント動作モードで構成され、前記第２のネットワークデバイスの無線モジュールは、アクセスポイント動作モードで構成されることと、
前記ブロードキャストフレームはブロードキャストのために前記第２のネットワークインタフェースから前記第２のネットワークデバイスに以前に送信されたものであるかどうかを決定することと、
前記ブロードキャストフレームが前記第２のネットワークインタフェースから前記第２のネットワークデバイスに以前に送信されたものであると決定したことに応答して、
前記第２のネットワークインタフェースにおいて前記ブロードキャストフレームを廃棄することと、
前記ブロードキャストフレームが前記第２のネットワークインタフェースから前記第２のネットワークデバイスに以前に送信されたものでないと決定したことに応答して、
処理のため及び前記第１のハイブリッドデバイスの前記複数のネットワークインタフェースのうちその他を介しての引き続きのブロードキャストのために前記第１のハイブリッドデバイスの前記ハイドリッド層に前記受信されたブロードキャストフレームを提供することと、をさらに備えるＣ１に記載の方法。
［Ｃ８］
前記第１のハイブリッドデバイスの前記第２のネットワークインタフェースにおいて前記第２のネットワークデバイスから前記ブロードキャストフレームを前記受信することに応答して、
前記受信されたブロードキャストフレーム内のオリジナルソースアドレスフィールドに少なくとも部分的に基づいて前記第１のハイブリッドデバイスの前記第２のネットワークインタフェースにおいて前記ブロードキャストフレームをフィルタリングすることであって、前記無線転送テーブルは、前記第２のネットワークインタフェースを通じて到達可能である１つ以上のネットワークデバイスを示す表示を備えることと、
前記オリジナルソースアドレスフィールドが前記第２のネットワークインタフェースを通じて到達可能である前記１つ以上のネットワークデバイスのうちの１つと関連付けられたアドレスを備えると決定したことに応答して、
前記第２のネットワークインタフェースにおいて前記ブロードキャストフレームを廃棄することと、をさらに備えるＣ７に記載の方法。
［Ｃ９］
前記第１のハイブリッドデバイスの前記第２のネットワークインタフェースにおいて、インジケータフィールドを前記ブロードキャストフレームに挿入することであって、前記インジケータフィールドは、前記第１のハイブリッドデバイスの前記第２のネットワークインタフェースが前記第２のネットワークデバイスに前記ブロードキャストフレームを送信することを示すことと、
前記第１のハイブリッドデバイスの前記第２のネットワークインタフェースから前記第２のネットワークデバイスに前記ブロードキャストフレームを送信することと、
前記第２のネットワークデバイスから前記第１のハイブリッドデバイスの前記第２のネットワークインタフェースにおいて前記ブロードキャストフレームを前記受信することに応答して、前記ブロードキャストフレームがブロードキャストのために前記第２のネットワークインタフェースから前記第２のネットワークデバイスに以前に送信されたものであるかどうかを前記決定することは、
前記受信されたブロードキャストフレームが前記第２のネットワークインタフェースで挿入された前記インジケータフィールドを備えるかどうかを決定することを備えることと、をさらに備えるＣ７に記載の方法。
［Ｃ１０］
前記第１のネットワークインタフェースは、イーサネットインタフェース又は電力線通信インタフェースであり、
前記第２のネットワークインタフェースは、無線ローカルエリアネットワーク（ＷＬＡＮ）インタフェースであるＣ１に記載の方法。
［Ｃ１１］
前記第２のデータフレームを前記生成することは、前記無線フレームフォーマットにより前記第１のデータフレームを変更することを備えるＣ１に記載の方法。
［Ｃ１２］
前記ハイブリッド通信ネットワークは、ＩＥＥＥ Ｐ１９０５．１通信ネットワークを備えるＣ１に記載の方法。
［Ｃ１３］
前記第１のデータフレームを前記受信することは、前記ハイブリッド通信ネットワークの第１の通信ネットワークセグメントを介して前記第１のデータフレームを受信することを備え、
前記第２のデータフレームを前記送信することは、前記ハイブリッド通信ネットワークの第２の通信ネットワークセグメントを介して前記第２のデータフレームを送信することを備え、前記第２の通信ネットワークセグメントは、無線ネットワークセグメントであるＣ１に記載の方法。
［Ｃ１４］
前記第１のハイブリッドデバイスにおいて、前記ハイブリッド通信ネットワークの１つ以上のその他のハイブリッドデバイスから１つ以上のトポロジーメッセージを受信することであって、前記１つ以上のトポロジーメッセージは、前記１つ以上のその他のハイブリッドデバイスと関連付けられた情報を備えることと、
前記１つ以上のその他のハイブリッドデバイスから受信された前記１つ以上のトポロジーメッセージに少なくとも部分的に基づいて前記第１のハイブリッドデバイスと関連付けられた少なくとも前記ハイブリッド転送テーブルにポピュレートすることと、
前記第１のハイブリッドデバイスと関連付けられた前記ハイブリッド転送テーブルを前記１つ以上のその他のハイブリッドデバイスに送信することと、をさらに備えるＣ１に記載の方法。
［Ｃ１５］
前記１つ以上のその他のハイブリッドデバイスから受信された前記１つ以上のトポロジーメッセージに少なくとも部分的に基づいて前記無線転送テーブルにポピュレートすることをさらに備えるＣ１４に記載の方法。
［Ｃ１６］
前記第１のハイブリッドデバイスにおいて、少なくとも、前記第１のハイブリッドデバイスに関する情報と、前記第１のハイブリッドデバイスに接続された１つ以上のネットワークデバイスに関する情報と、を備える１つ以上のトポロジーメッセージを生成することと、
前記第１のハイブリッドデバイスから前記ハイブリッド通信ネットワークのその他のハイブリッドデバイスに前記１つ以上のトポロジーメッセージをブロードキャストすることと、をさらに備えるＣ１に記載の方法。
［Ｃ１７］
前記第１のハイブリッドデバイスと関連付けられた前記１つ以上のトポロジーメッセージは、前記第１のハイブリッドデバイスの前記複数のネットワークインタフェース、前記複数のネットワークインタフェースの各々と関連付けられた転送能力、前記第１のハイブリッドデバイスに接続された前記１つ以上のネットワークデバイス、前記第１のハイブリッドデバイスの少なくとも前記無線ネットワークインタフェースがフレーム転送をサポートするかどうか、前記第１のハイブリッドデバイスの前記無線ネットワークインタフェースによってサポートされる無線フレームフォーマット、及びリンクメトリック情報を示す表示うちの１つ以上を備えるＣ１６に記載の方法。
［Ｃ１８］
前記１つ以上のトポロジーメッセージは、前記第１のハイブリッドデバイスの前記第２のネットワークインタフェースが、フレーム転送、前記第２のネットワークインタフェースによってサポートされる無線フレームフォーマット、及び前記第２のネットワークインタフェースによってサポートされる通信リンクセットアップをサポートする無線ネットワークインタフェースであることを示す表示を備えるＣ１６に記載の方法。
［Ｃ１９］
前記第２のネットワークインタフェースによってサポートされる前記通信リンクセットアップは、前記第２のネットワークインタフェースが直接リンク無線通信をサポートするかどうかを示すＣ１８に記載の方法。
［Ｃ２０］
前記ハイブリッド通信ネットワークの中央のコーディネータに対して、前記第１のハイブリッドデバイスと関連付けられた情報及び前記第１のハイブリッドデバイスに接続された１つ以上のネットワークデバイスを示す表示を送信することと、
前記中央のコーディネータから、前記第１のハイブリッドデバイスと関連付けられた前記ハイブリッド転送テーブル及び前記ハイブリッド通信ネットワークの対応する１つ以上のその他のハイブリッドデバイスと関連付けられた１つ以上のハイブリッド転送テーブルを受信することと、をさらに備えるＣ１に記載の方法。
［Ｃ２１］
ハイブリッドデバイスであって、
複数のネットワークインタフェースと、
前記複数のネットワークインタフェースに結合された通信ユニットと、を備え、前記通信ユニットは、
前記複数のネットワークインタフェースのうちの第１のネットワークインタフェースにおいて、ハイブリッド通信ネットワークの行先デバイスへの送信ために第１のフレームフォーマットで第１のデータフレームを受信し、
前記ハイブリッドデバイスのハイブリッド層と関連付けられたハイブリッド転送テーブルに少なくとも部分的に基づいて前記複数のネットワークインタフェースのうちの第２のネットワークインタフェースを介して前記第１のデータフレームを転送することを決定し、
前記第２のネットワークインタフェースは、無線ネットワークインタフェースであると決定し、
前記第２のネットワークインタフェースと関連付けられた無線転送テーブルに少なくとも部分的に基づいて前記ハイブリッド通信ネットワークの第２のネットワークデバイスに前記第１のデータフレームを転送することを決定し、
前記第１のデータフレーム、前記ハイブリッドデバイス、及び前記第２のネットワークデバイスに少なくとも部分的に基づいて無線フレームフォーマットにより第２のデータフレームを生成し、及び
前記第２のネットワークインタフェースから前記第２のネットワークデバイスに前記第２のデータフレームを送信するために動作可能である、ハイブリッドデバイス。
［Ｃ２２］
前記通信ユニットは、
前記第２のネットワークインタフェースと関連付けられた無線モジュールがアクセスポイント動作モードで構成されるかどうかを決定し、
前記第２のネットワークインタフェースと関連付けられた前記無線モジュールがアクセスポイント動作モードで構成されると決定したことに応答して、
前記第２のネットワークデバイスの無線ネットワークインタフェースに前記第１のデータフレームを転送することを決定し、
前記第２のネットワークインタフェースと関連付けられた前記無線モジュールが前記クライアント動作モードで構成されると決定したことに応答して、
前記ハイブリッドデバイスの前記無線モジュールが接続されるアクセスポイントの無線ネットワークインタフェースに前記第１のデータフレームを転送することを決定するためにさらに動作可能であり、前記第２のネットワークデバイスの前記無線ネットワークインタフェースと関連付けられた無線モジュールは、クライアント動作モードで構成されるＣ２１に記載のハイブリッドデバイス。
［Ｃ２３］
前記通信ユニットは、
前記ハイブリッドデバイスの前記第２のネットワークインタフェース及び前記第２のネットワークデバイスの無線ネットワークインタフェースがクライアント動作モードで構成されると決定し、
前記ハイブリッドデバイスの前記第２のネットワークインタフェース及び前記第２のネットワークデバイスの前記無線ネットワークインタフェースが直接通信リンクをサポートするかどうかを決定し、
前記ハイブリッドデバイスの前記第２のネットワークインタフェース及び前記第２のネットワークデバイスの前記無線ネットワークインタフェースが前記直接通信リンクをサポートすると決定したことに応答して、
前記直接通信リンクを介して前記第２のネットワークインタフェースから前記第２のネットワークデバイスの前記無線ネットワークインタフェースに前記第２のデータフレームを直接送信し、及び、
前記ハイブリッドデバイスの前記第２のネットワークインタフェース及び前記第２のネットワークデバイスの前記無線ネットワークインタフェースが前記直接通信リンクをサポートしないと決定したことに応答して、
前記第２のネットワークデバイスの前記無線ネットワークインタフェースへの引き続きの送信のために前記第２のネットワークインタフェースに接続されたアクセスポイントに前記第２のデータフレームを送信するためにさらに動作可能であるＣ２１に記載のハイブリッドデバイス。
［Ｃ２４］
前記無線フレームフォーマットにより前記第２のデータフレームを生成するために動作可能である前記通信ユニットは、
前記ハイブリッドデバイスが前記行先デバイスへの送信のために前記第１のデータフレームを生成したソースデバイスであるかどうかを決定し、
前記ハイブリッドデバイスが前記第１のデータフレームを生成した前記ソースデバイスであると決定したことに応答して、
３アドレス無線フレームフォーマットにより前記第２のデータフレームを生成し、
前記ハイブリッドデバイスが前記第１のデータフレームを生成した前記ソースデバイスでないと決定したことに応答して、
前記第２のネットワークデバイスが前記第１のデータフレームの対象である行先デバイスであるかどうかを決定し、
前記第２のネットワークデバイスが前記第１のデータフレームの対象である前記行先デバイスであると決定したことに応答して、
前記３アドレス無線フレームフォーマットにより前記第２のデータフレームを生成し、及び、
前記第２のネットワークデバイスが前記第１のデータフレームの対象である前記行先デバイスでない及び前記ハイブリッドデバイスが前記第１のデータフレームを生成した前記ソースデバイスでないと決定したことに応答して、
４アドレス無線フレームフォーマットにより第２のデータフォーマットを生成するために動作可能な通信ユニットを備え、前記第２のデータフレームは、前記ハイブリッドデバイスのアドレスと、前記第２のネットワークデバイスのアドレスと、前記行先デバイスのアドレスとを備え、前記第２のデータフレームは、前記ソースデバイスのアドレスと、前記ハイブリッドデバイスの前記アドレスと、前記第２のネットワークデバイスの前記アドレスとを備え、前記第２のデータフレームは、前記ソースデバイスの前記アドレスと、前記ハイブリッドデバイスの前記アドレスと、前記第２のネットワークデバイスの前記アドレスと、前記行先デバイスの前記アドレスと、を備えるＣ２１に記載のハイブリッドデバイス。
［Ｃ２５］
前記通信ユニットは、
前記第２のネットワークデバイスから前記第２のネットワークインタフェースにおいてブロードキャストフレームを受信し、
前記ブロードキャストフレームがブロードキャストのために前記第２のネットワークインタフェースから前記第２のネットワークデバイスに以前に送信されたものであるかどうかを決定し、
前記ブロードキャストフレームが前記第２のネットワークインタフェースから前記第２のネットワークデバイスに以前に送信されたものであると決定したことに応答して、
前記第２のネットワークインタフェースにおいて前記ブロードキャストフレームを廃棄し、及び、
前記ブロードキャストフレームが前記第２のネットワークインタフェースから前記第２のネットワークデバイスに以前に送信されたものでないと決定したことに応答して、
処理のために及び前記ハイブリッドデバイスの前記複数のネットワークインタフェースのうちのその他を介しての引き続きのブロードキャストのために前記ハイブリッドデバイスの前記ハイブリッド層に前記受信されたブロードキャストフレームを提供するためにさらに動作可能であり、前記ハイブリッドデバイスの無線モジュールはクライアント動作モードで構成され、前記第２のネットワークデバイスの無線モジュールは、アクセスポイント動作モードで構成されるＣ２１に記載のハイブリッドデバイス。
［Ｃ２６］
前記第１のデータフレームを受信するために動作可能な前記通信ユニットは、前記ハイブリッド通信ネットワークの第１の通信ネットワークセグメントを介して前記第１のデータフレームを受信するために動作可能な前記通信ユニットを備え、
前記第２のデータフレームを送信するために動作可能な前記通信ユニットは、前記ハイブリッド通信ネットワークの第２の通信ネットワークセグメントを介して前記第２のデータフレームを送信するために動作可能な前記通信ユニットを備え、前記第２の通信ネットワークセグメントは、無線ネットワークセグメントであるＣ２１に記載のハイブリッドデバイス。
［Ｃ２７］
前記通信ユニットは、
前記ハイブリッド通信ネットワークの１つ以上のその他のハイブリッドデバイスから１つ以上のトポロジーメッセージを受信し、
前記１つ以上のその他のハイブリッドデバイスから受信された前記１つ以上のトポロジーメッセージに少なくとも部分的に基づいて少なくとも前記ハイブリッド転送テーブルにポピュレートし、及び、
前記１つ以上のその他のハイブリッドデバイスに前記ハイブリッド転送テーブルを送信するためにさらに動作可能であり、前記１つ以上のトポロジーメッセージは、前記１つ以上のその他のハイブリッドデバイスと関連付けられた情報を備えるＣ２１に記載のハイブリッドデバイス。
［Ｃ２８］
前記通信ユニットは、前記１つ以上のその他のハイブリッドデバイスから受信された前記１つ以上のトポロジーメッセージに少なくとも部分的に基づいて前記無線転送テーブルにポピュレートするためにさらに動作可能であるＣ２７に記載のハイブリッドデバイス。
［Ｃ２９］
前記通信ユニットは、
少なくとも、前記第１のハイブリッドデバイスに関する情報と、前記ハイブリッドデバイスに接続された１つ以上のネットワークデバイスに関する情報と、を備える１つ以上のトポロジーメッセージを生成し、及び、
前記ハイブリッド通信ネットワークのその他のハイブリッドデバイスに前記１つ以上のトポロジーメッセージをブロードキャストするためにさらに動作可能であるＣ２１に記載のハイブリッドデバイス。
［Ｃ３０］
前記ハイブリッドデバイスと関連付けられた前記１つ以上のトポロジーメッセージは、前記ハイブリッドデバイスの前記複数のネットワークインタフェース、前記複数のネットワークインタフェースの各々と関連付けられた転送能力、前記ハイブリッドデバイスに接続された前記１つ以上のネットワークデバイス、前記ハイブリッドデバイスの少なくとも前記無線ネットワークインタフェースがフレーム転送をサポートするかどうか、前記ハイブリッドデバイスの無線ネットワークインタフェースによってサポートされる無線フレームフォーマット、及びリンクメトリック情報を示す表示うちの１つ以上を備えるＣ２９に記載のハイブリッドデバイス。
［Ｃ３１］
機械によって読み取り可能な記憶媒体であって、
１つ以上のプロセッサによって実行されたときに、
ハイブリッド通信ネットワークの第１のハイブリッドデバイスの複数のネットワークインタフェースのうちの第１のネットワークインタフェースにおいて第１のフレームフォーマットの第１のデータフレームを受信することと、
前記第１のハイブリッドデバイスのハイブリッド層と関連付けられたハイブリッド転送テーブルに少なくとも部分的に基づいて前記複数のネットワークインタフェースのうちの第２のネットワークインタフェースを介して前記第１のデータフレームを転送することを決定することと、
前記第２のネットワークインタフェースが無線ネットワークインタフェースであると決定することと、
前記第１のハイブリッドデバイスの前記第２のネットワークインタフェースと関連付けられた無線転送テーブルに少なくとも部分的に基づいて前記ハイブリッド通信ネットワークの第２のネットワークデバイスに前記第１のデータフレームを転送することを決定することと、
前記第１のデータフレーム、前記第１のハイブリッドデバイス、及び前記第２のネットワークデバイスに少なくとも部分的に基づいて無線フレームフォーマットにより第２のデータフレームを生成することと、
前記第１のハイブリッドデバイスの前記第２のネットワークインタフェースから前記第２のネットワークデバイスに前記第２のデータフレームを送信することと、を備える動作を行うことを前記１つ以上のプロセッサに行わせる命令、が格納されている、１つ以上の機械によって読み取り可能な記憶媒体。
［Ｃ３２］
前記動作は、前記第２のネットワークインタフェースと関連付けられた無線モジュールがアクセスポイント動作モードで構成されるかどうかを決定することと、
前記第２のネットワークインタフェースと関連付けられた前記無線モジュールが前記アクセスポイント動作モードで構成されると決定したことに応答して、
前記第２のネットワークデバイスの無線ネットワークインタフェースに前記第１のデータフレームを転送することを決定することであって、前記第２のネットワークデバイスの前記無線ネットワークインタフェースと関連付けられた無線モジュールは、クライアント動作モードで構成されることと、
前記第２のネットワークインタフェースと関連付けられた前記無線モジュールが前記クライアント動作モードで構成されると決定したことに応答して、
前記第１のハイブリッドデバイスの前記無線モジュールが接続されているアクセスポイントの無線ネットワークインタフェースに前記第１のデータフレームを転送することを決定することと、をさらに備えるＣ３１に記載のコンピュータによって読み取り可能な記憶媒体。
［Ｃ３３］
前記動作は、
前記第１のハイブリッドデバイスの前記第２のネットワークインタフェース及び前記第２のネットワークデバイスの無線ネットワークインタフェースがクライアント動作モードで構成されると決定することと、
前記第１のハイブリッドデバイスの前記第２のネットワークインタフェース及び前記第２のネットワークデバイスの前記無線ネットワークインタフェースが直接通信リンクをサポートするかどうかを決定することと、
前記第１のハイブリッドデバイスの前記第２のネットワークインタフェース及び前記第２のネットワークデバイスの前記無線ネットワークインタフェースが前記直接通信リンクをサポートすると決定したことに応答して、
前記直接通信リンクを介して前記第１のハイブリッドデバイスの前記第２のネットワークインタフェースから前記第２のネットワークデバイスの前記無線ネットワークインタフェースに前記第２のデータフレームを直接送信することと、
前記第１のハイブリッドデバイスの前記第２のネットワークインタフェース及び前記第２のネットワークデバイスの前記無線ネットワークインタフェースが直接通信リンクをサポートしないと決定したことに応答して、
前記第２のネットワークデバイスの前記無線ネットワークインタフェースへの引き続きの送信のために前記第１のハイブリッドデバイスの前記第２のネットワークインタフェースに接続されたアクセスポイントに前記第２のデータフレームを送信することと、をさらに備えるＣ３１に記載の機械によって読み取り可能な記憶媒体。
［Ｃ３４］
前記無線フレームフォーマットにより前記第２のデータフレームを生成する前記動作は、
前記第１のハイブリッドデバイスが前記ハイブリッド通信ネットワークの行先デバイスへの送信のために前記第１のデータフレームを生成したソースデバイスであるかどうかを決定することと、
前記第１のハイブリッドデバイスが前記第１のデータフレームを生成した前記ソースデバイスであると決定したことに応答して、
３アドレス無線フレームフォーマットにより前記第２のデータフレームを生成することであって、前記第２のデータフレームは、前記第１のハイブリッドデバイスのアドレスと、前記第２のネットワークデバイスのアドレスと、前記行先デバイスのアドレスとを備えることと、
前記第１のハイブリッドデバイスが前記第１のデータフレームを生成した前記ソースデバイスでないと決定したことに応答して、
前記第２のネットワークデバイスは、前記第１のデータフレームの対象となっている前記行先デバイスであるかどうかを決定することと、
前記第２のネットワークデバイスは前記第１のデータフレームの対象となっている前記行先デバイスであると決定したことに応答して、
前記３アドレス無線フレームフォーマットにより前記第２のデータフレームを生成することであって、前記第２のデータフレームは、前記ソースデバイスのアドレスと、前記第１のハイブリッドデバイスの前記アドレスと、前記第２のネットワークデバイスの前記アドレスとを備えることと、
前記第２のネットワークデバイスが前記第１のデータフレームの対象となる前記行先デバイスではなく及び前記第１のハイブリッドデバイスは前記第１のデータフレームを生成した前記ソースデバイスでないと決定したことに応答して、
４アドレス無線フレームフォーマットにより前記第２のデータフレームを生成することであって、前記第２のデータフレームは、前記ソースデバイスの前記アドレスと、前記第１のハイブリッドデバイスの前記アドレスと、前記第２のネットワークデバイスの前記アドレスと、前記行先デバイスの前記アドレスと、を備えることと、をさらに備えるＣ３１に記載の機械によって読み取り可能な記憶媒体。
［Ｃ３５］
前記動作は、
前記第２のネットワークインタフェースにおいて前記第２のネットワークデバイスからブロードキャストフレームを受信することであって、前記第１のハイブリッドデバイスの無線モジュールは、クライアント動作モードで構成され、前記第２のネットワークデバイスの無線モジュールは、アクセスポイント動作モードで構成されることと、
前記ブロードキャストフレームは、ブロードキャストのために前記第２のネットワークインタフェースから前記第２のネットワークデバイスに以前に送信されたものであるかどうかを決定することと、
前記ブロードキャストフレームが前記第２のネットワークインタフェースから以前に送信されたものであると決定したことに応答して、
前記第２のネットワークインタフェースにおいて前記ブロードキャストフレームを廃棄することと、
前記ブロードキャストフレームが前記第２のネットワークインタフェースから以前に送信されたものでないと決定したことに応答して、
処理のため及び前記第１のハイブリッドデバイスの前記複数のネットワークインタフェースのうちその他を介しての引き続きのブロードキャストのために前記第１のハイブリッドデバイスの前記ハイドリッド層に前記受信されたブロードキャストフレームを提供することと、をさらに備えるＣ３１に記載のコンピュータによって読み取り可能な記憶媒体。
［Ｃ３６］
前記動作は、
前記第１のハイブリッドデバイスにおいて、前記ハイブリッド通信ネットワークの１つ以上のその他のハイブリッドデバイスから１つ以上のトポロジーメッセージを受信することであって、前記１つ以上のトポロジーメッセージは、前記１つ以上のその他のハイブリッドデバイスと関連付けられた情報を備えることと、
前記１つ以上のその他のハイブリッドデバイスから受信された前記１つ以上のトポロジーメッセージに少なくとも部分的に基づいて前記第１のハイブリッドデバイスと関連付けられた少なくとも前記ハイブリッド転送テーブルにポピュレートすることと、
前記１つ以上のその他のハイブリッドデバイスに前記第１のハイブリッドデバイスと関連付けられた前記ハイブリッド転送テーブルを送信することと、をさらに備えるＣ３１に記載のコンピュータによって読み取り可能な記憶媒体。
［Ｃ３７］
前記動作は、
前記１つ以上のその他のハイブリッドデバイスから受信された前記１つ以上のトポロジーメッセージに少なくとも部分的に基づいて前記無線転送テーブルにポピュレートすることをさらに備えるＣ３６に記載のコンピュータによって読み取り可能な記憶媒体。